(57)【要約】【課題】回動遊技機の内部構造を改変することなく、出玉率設定値の不正変更を正確に検知することができる出玉率設定値不正変更監視装置を提供する。【解決手段】  出玉率設定値変更のためのスイッチ３ｂ、３ｃおよび電源をオンオフする電源スイッチ３ａを備えた直流電源装置３とメインＣＰＵ基板６とを接続するハーネス電線７に流れる電流を検出する非接触タイプの電流検出センサ５と、前記電流検出センサ５で検出した電流の時間的変化に基づいて出玉率設定値変更操作が成されたか否かを判断する監視装置本体４とを備える。【選択図】  図１
2005312631.tif 000002
【特許請求の範囲】
【請求項１】
出玉率設定値変更のためのスイッチおよび電源をオンオフする電源スイッチを備えた直流電源装置とメインＣＰＵ基板とを接続するハーネス電線に流れる電流を検出する非接触タイプの電流検出センサと、前記電流検出センサで検出した電流の時間的変化に基づいて出玉率設定値変更操作が成されたか否かを判断する監視装置本体とを備えたことを特徴とする回胴遊技機の出玉率設定値不正変更監視装置。
【請求項２】
電流検出センサはクランプ式交流電流センサである請求項１記載の回胴遊技機の出玉率設定値不正変更監視装置。
【請求項３】
遊技機正面ドアの開閉状態を検出するドア開閉検出センサを備え、監視装置本体はドア開閉検出センサからドア開の信号が送られてきたときのみ出玉率設定値変更操作がなされたか否かを判断する請求項１又は２記載の回胴遊技機の出玉率設定値不正変更監視装置。
【請求項４】
警報ランプを備え、監視装置本体が出玉率設定値変更操作がなされたと判断したときに、警報ランプを点灯または点滅させるように構成した請求項１、２又は３記載の回胴遊技機の出玉率設定値不正変更監視装置。
【発明の詳細な説明】
【技術分野】
【０００１】
本発明は、回胴遊技機（スロットマシン、通称パチスロ）の営業中における出玉率設定値の不正変更行為を検知する回胴遊技機の出玉率設定値不正変更監視装置に関するものである。
【背景技術】
【０００２】
図６〜図８に基づいて背景技術を説明する。図６において、１は回胴遊技機（スロットマシン）で、複数の所定の絵柄又は数字が記載された回転ドラム１ａが３列配置されている。店内で、このスロットマシン１が複数台横列して島を形成している。２はスロットマシン１の正面ドアで、図８に示すように、内部の回転ドラム１ａが見れるガラス窓部２ａと、当たりの際の取得コイン枚数が表示されるクレジット表示部２ｂと、スタートレバー２ｃが設けられている。３はスロットマシン１の内部に設置されているスイッチング方式の直流電源装置で、ＡＣ１００Ｖの電力が供給され、これを直流に変換している。この直流電源装置３は、図７に示すように、電源スイッチ３ａと、出玉率設定の際の設定可能モードａと、この設定された出玉率設定値を稼動中に維持する通常モードｂとを切り替える設定値変更キースイッチ３ｂと、出玉率設定値を変更設定するリセット押しボタンスイッチ３ｃが設けられ、スロットマシン１の各内部機器に電気配線で接続されている。
【０００３】
通常、スロットマシン１においては、それぞれの台に応じて、当たりの際のメダルの出玉率設定値の変更が成されている。
【０００４】
これは複数台のスロットマシン１の配列や、店のイベント等による客寄せの手段として店側がその都度行なうものである。
【０００５】
出玉率の設定範囲は、通常「１」から「６」の範囲の６段階で、数字の大きい方が高い出玉率となっている。例えば、各遊技店では設置されているほとんどのスロットマシン１が「１」から「３」の低い出玉率設定がなされており、「６」の高い出玉率設定は、店の出入口等の数台のスロットマシン１に客寄せ目的で行なわれている程度である。
【０００６】
スロットマシン１の出玉率の設定値の変更の方法は、正面ドア２を開いた後、次の手順で行なわれる。
１．直流電源装置３の設定値変更キースイッチ３ｂを通常モードｂから設定可能モードａに切り替える。この動作により、スロットマシン正面ドア２に設けられているクレジット表示部２ｂに現在設定されている出玉設定率の設定数字が表示される。
２．次に、直流電源装置３の電源スイッチ３ａをＯＦＦとし、１〜２秒後に再び電源スイッチ３ａをＯＮにする。この動作で出玉率の設定値の変更が可能の状態となる。
３．次に、直流電源装置３のリセット押しボタンスイッチ３ｃを押す都度、設定数字が「１」〜「６」の範囲で順次クレジット表示部２ｂに表示されるので、設定したい数字がクレジット表示部２ｂに表示された時点で押し動作を停止する。
４．正面ドア２のスタートレバー２ｃを一度押す。この動作により、上記３で選択された設定数字の確認が行なわれる。
５．上記手順１での設定値変更キースイッチ３ｂを設定可能モードａから通常モードｂに切り替える。この動作により、出玉率の設定動作が終了となり、クレジット表示部２ｂに表示されていた出玉率設定値を示す数字が消去されて０表示となり、スロットマシン１が通常遊技可能な状態となる。
【０００７】
以上のように、スロットマシン１の出玉率設定値の変更方法は、すべての種類の遊技台に共通するもので、
Ａ．設定値変更スイッチ３ｂの切り替え動作
Ｂ．電源スイッチ３ａのＯＦＦ／ＯＮ動作
Ｃ．リセット押しボタンスイッチ３ｃの動作
Ｄ．スタートレバー２ｃを押す動作
以上の４項目が行なえれば簡単にスロットマシン１の出玉率設定値の変更が行なえる。
【０００８】
営業中に客が、スロットマシン１の出玉率の不正設定を行う場合、例えば、複数の客仲間の内の１〜２人が他の場所で店員の注意を引くような騒動を行なっている間に、数人が狙ったスロットマシン１の周りを囲んで人目をさえぎり偽造したマシンキー等で遊技機の正面ドア２を開き、上記Ａ〜Ｃの動作を短時間の動作で行ない、正面ドア２を閉じた後に、Ｄの動作を行なって、不正に設定した高出玉率でコインを多量に不正入手する、通称ゴト師のグループがいて店に金額的損失を与えている。
【発明の開示】
【発明が解決しようとする課題】
【０００９】
本発明は上記に鑑み、出玉率設定値の不正変更行為を確実に検知することができると共に、回胴遊技機の内部構造を改変したり、電気配線に直接的な結線を行なったりすることなく上記不正変更行為の検知を行なうことができる出玉率設定値不正変更監視装置を提供することを目的とする。
【課題を解決するための手段】
【００１０】
本発明は上記目的を達成するため、出玉率設定値変更のためのスイッチおよび電源をオンオフする電源スイッチを備えた直流電源装置とメインＣＰＵ基板とを接続するハーネス電線に流れる電流を検出する非接触タイプの電流検出センサと、前記電流検出センサで検出した電流の時間的変化に基づいて出玉率設定値変更操作が成されたか否かを判断する監視装置本体とを備えたことを特徴とする回胴遊技機の出玉率設定値不正変更監視装置を提供するものである。
【００１１】
本発明において、電流検出センサはクランプ式交流電流センサであることが好適である。
【００１２】
また本発明において、遊技機正面ドアの開閉状態を検出するドア開閉検出センサを備え、監視装置本体はドア開閉検出センサからドア開の信号が送られてきたときのみ出玉率設定値変更操作がなされたか否かを判断するように構成すると好適である。
【００１３】
さらに本発明において、警報ランプを備え、監視装置本体が出玉率設定値変更操作がなされたと判断したときに、警報ランプを点灯または点滅させるように構成すると好適である。
【発明の効果】
【００１４】
本発明によれば、回胴遊技機の内部構造を改変すること等なくして、後付けで設置できる出玉率設定値不正変更監視装置により、出玉率設定値の不正変更行為を確実に検知することができる。
【発明を実施するための最良の形態】
【００１５】
本発明の実施形態を図面を参照して説明する。
【００１６】
図１、図２において、４は監視装置本体、５は非接触タイプの電流検出センサ、８はドア開閉検出センサ、９は警報ランプ、５ａは監視装置本体４と電流検出センサ５とを接続する接続電線、８ａは監視装置本体４とドア開閉検出センサ８とを接続する接続電線、９ａは監視装置本体４と警報ランプ９とを接続する接続電線であって、これらで出玉率設定値不正変更監視装置を構成している。
【００１７】
スロットマシン（回胴遊技機）１の基本構成は、「背景技術」の項で述べたとおりであって、出玉率設定値変更のためのスイッチ３ｂ、３ｃおよび電源をオンオフする電源スイッチ３ａを備えた直流電源装置３、出玉率設定値変更操作に関係するスタートレバー２ｃ、クレジット表示部２ｂを備えた正面ドア２を備えると共に、ゲームに必要な各種機器を備えてる。そして、スロットマシン１に内蔵されるメインＣＰＵ基板６は、ゲーム進行に必要な各種プログラムを実行し、また直流電源装置３の出玉率設定値変更のためのスイッチング操作の信号が入力される等して、出玉率設定値の変更、設定記憶のソフト動作を行い、設定記憶された出玉率設定値に基づいてゲームを進行している。前記直流電源装置３から前記メインＣＰＵ基板６には、ハーネス電線７を通じて５Ｖまたは１２Ｖの直流電流（数１０ｋＨｚのリップル電流となっている。）が供給されている。そして「背景技術」の項で述べたように、出玉率設定値を変更する際には、必ず、直流電源装置３の電源スイッチ３ａは、一旦ＯＦＦされた後、ＯＮされ、これに伴い、ハーネス電線７を流れる直流電流は、そのＯＦＦされた期間（通常１〜２秒間）に想到する期間０Ｖとなる。
【００１８】
前記電流検出センサ５としては、図３に示すように、センサ本体５ｂと蓋体５ｃとがヒンジ部５ｄで開閉可能に結合されてなるクランプ式交流電流センサを用いており、この電流検出センサ５を前記ハーネス電線７の電線被覆部の周囲を包むようにして、配置している。この電流検出センサ５は、前記ハーネス電線７を流れる直流電流（リップル電流）を非接触で検出し、この検出信号を前記接続電線５ａを通じて前記監視装置本体４に送信する。前記交流電流センサは、リングコアに巻かれた二次巻線を備え、この二次巻線を貫通する電線を流れるリップル電流を検出し、これに対応する出力電圧を得るものであって、微小電流の検出に適したものである。
【００１９】
検視装置本体４は、図４に示すように、増幅器、判定値比較部、マイコン回路を備えており、図５に示すように、入力された検出信号（電圧波形信号）を増幅器で増幅し、増幅された電圧波形の電圧が判定値以上か否かを判定し、判定値未満と判定した場合、すなわち実質的に０Ｖに相当する（非通電）と判定した場合には、マイコン回路において、設定条件を元に演算して、出玉率設定値の不正変更が行なわれたと判断されたときには、警報出力がなされ、前記警報ランプ９を点灯または点滅させる。前記設定条件としては、例えば０Ｖに相当すると判定された期間が、０．１秒以上継続したときに、不正変更と判断するような条件とすることができる。
【００２０】
なお、上記説明では、正面ドア２の開閉状態を検出するドア開閉検出センサ８と不正変更判断との関係についての説明を省略したが、実際には、前記監視装置本体４は、ドア開閉検出センサ８からのドア開の位置が送られてきたときのみ出玉率設定変更操作がなされたか否かを判断するように構成されていて、他の原因で直流電源装置３からのＣＰＵ基板６への送電が停止または一時停止した場合に、上記不正変更判断がなされず、むやみに警報ランプ９が点灯等することを防いでいる。
【００２１】
上記実施形態は上述のように、直流電源装置３からメインＣＰＵ基板６に供給される直流電流の時間的変化を、電流検出センサ５で検出し、出玉率設定値を変更する際には、必ず直流電源装置３の電源スイッチ３ａが一旦ＯＦＦ操作されて、メインＣＰＵ基板６に供給される直流電流の流れがストップされることに鑑み、このような現象に対応する直流電流の時間的変化が前記電流検出センサ５で検出されたときに、出玉率設定値変更操作がなされたと判断することができるように構成されている。そして上記実施形態において直流電源装置３とメインＣＰＵ基板６とを接続するハーネス電線７の電流の時間的変化を検出するように構成したのは、直流電源装置３の電源スイッチ３ａのＯＦＦ、ＯＮ操作に基づく、直流電源装置３から供給される直流電流の時間的変化を、時間的遅れが少なく、かつ正確な電流変化として検出するのに適しているからである。
【００２２】
また上記実施形態において、非接触タイプの電流検出センサ５を用いて、前記ハーネス電線７を流れる電流を検出するようにしているのは、スロットマシン１の内部構造を改変したり、その電気配線に直接的な結線を行なったりすることなく、上記不正変更行為の検知を行なえるようにしたためである。スロットマシン１の内部構造を改変したり、その電気配線に直接的な結線を行なう場合には、公安当局への変更申請等をしなけらばならないという問題点があるが、上記実施形態の出玉率設定値不正変更監視装置は、スロットマシン１に後付けできるので、上記問題点を解消することができる。
【００２３】
さらに上記実施形態のように、電流検出センサ５として、クランプ式交流電流センサを用いると、その設置作業をワンタッチで迅速簡単に行なうことができ、また微小電流を高精度で検出することができるので最適である。
【図面の簡単な説明】
【００２４】
【図１】本発明の実施の形態の回胴遊技機の出玉率設定値不正変更監視装置を示す構成図である。
【図２】スロットマシンへの出玉率設定値不正変更監視装置の取付け例を示す斜視図である。
【図３】電流検出センサを示す斜視図である。
【図４】本装置の動作ブロック図である。
【図５】本実施形態の出玉率設定値不正変更監視装置の作用を示すフローチャート図である。
【図６】スロットマシンへの取付け例を示す斜視図である。
【図７】直流電源装置を示す正面図である。
【図８】正面ドア部の概略正面図である。
【符号の説明】
【００２５】
１    スロットマシン（回胴遊技機）
２    正面ドア
２ｂ  クレジット表示部
２ｃ  スタートレバー
３    直流電源装置
３ａ  電源スイッチ
３ｂ  設定値変更キースイッチ
３ｃ  リセット押しボタンスイッチ
４    監視装置本体
５    電流検出センサ
６    メインＣＰＵ基板
７    ハーネス電線
８    ドア開閉検出センサ
９    警報ランプ
【図１】
2005312631.tif 000003
【図２】
2005312631.tif 000004
【図３】
2005312631.tif 000005
【図４】
2005312631.tif 000006
【図５】
2005312631.tif 000007
【図６】
2005312631.tif 000008
【図７】
2005312631.tif 000009
【図８】
2005312631.tif 000010